(57)【特許請求の範囲】
【請求項１】
複数チャネルの音響信号を生成する音響信号生成手段と、
前記音響信号生成手段により生成された音響信号が表す音の音像の移動軌跡を表す図形の情報を記憶する記憶手段と、
前記音響信号生成手段により生成された複数チャネルの音響信号の各々を加工してスピーカへ供給し、前記スピーカにおいて音響信号に対応して出力される音の音像を、前記記憶手段に記憶された図形の情報が表す移動軌跡に対応して移動させる音響信号加工手段と
を有し、
前記音響信号加工手段は、前記音響信号を加工して前記スピーカから出力される音の音像を直線的に往復させて線状の音像とし、当該線状の音像を前記図形の情報に基いて移動させ前記線状の音像の移動面積により前記図形を認識させること
を特徴とする音像移動装置。
【請求項２】
前記線状の音像は、長さが固定されて移動することを特徴とする請求項１に記載の音像移動装置。
【請求項３】
直線的に往復する音像の当該往復の幅を変化させることにより前記線状の音像の長さが移動中に変化することを特徴とする請求項１に記載の音像移動装置。
【発明の詳細な説明】
【技術分野】
【０００１】
本発明は、音像を移動させる技術に関する。
【背景技術】
【０００２】
従来、左右２チャネルの信号の楽音信号にそれぞれ時間遅延や振幅調整等の各種処理を施して各信号間に時間遅延および振幅差を生じさせ、音像を任意の位置に定位させたり移動させたりすることが行われており、この技術を利用したシステムとして、例えば、特許文献１に開示されたシステムがある。このシステムは、電子化されたテキストを表示すると共に、テキストの表示領域における文字の座標を抽出する。そして、テキストを読み上げる際には、読み上げている文字の位置に音像が位置するように、音声信号を制御する。このシステムによれば、読み上げられている文字と、この文字の読み上げ音声の音像の位置とが一致するため、テキスト中のどの部分が読み上げられているのかを容易に知ることができる。また、音像の位置にある文字が視覚に入るため、読み上げられる音声だけでなく、視覚からも文字を認識することができる。
【０００３】
【特許文献１】特許第３３４０５８１号公報
【発明の開示】
【発明が解決しようとする課題】
【０００４】
ところで、上述したシステムにおいては、図形等の映像と、テキストとを有する画像を表示した場合、音声により読み上げられるのはテキストの部分だけである。文字以外の映像については、読み上げることができないため、視聴者が視覚に頼れない状況にある場合、テキストと共にある映像を認識することができないという問題がある。
【０００５】
本発明は、上述した背景の下になされたものであり、視覚によらずに映像をイメージさせることができる技術を提供することを目的とする。
【課題を解決するための手段】
【０００６】
上述した課題を解決するために本発明は、複数チャネルの音響信号を生成する音響信号生成手段と、前記音響信号生成手段により生成された音響信号が表す音の音像の移動軌跡を表す図形の情報を記憶する記憶手段と、前記音響信号生成手段により生成された複数チャネルの音響信号の各々を加工してスピーカへ供給し、前記スピーカにおいて音響信号に対応して出力される音の音像を、前記記憶手段に記憶された図形の情報が表す移動軌跡に対応して移動させる音響信号加工手段とを有し、前記音響信号加工手段は、前記音響信号を加工して前記スピーカから出力される音の音像を直線的に往復させて線状の音像とし、当該線状の音像を前記図形の情報に基いて移動させ前記線状の音像の移動面積により前記図形を認識させることを特徴とする音像移動装置を提供する。
【０００７】
この態様においては、前記線状の音像は、長さが固定されて移動するようにしてもよい。
また、直線的に往復する音像の当該往復の幅を変化させることにより前記線状の音像の長さが移動中に変化するようにしてもよい。
【発明の効果】
【０００８】
本発明によれば、聴取者は、視覚によらずに映像をイメージすることができる。
【発明を実施するための最良の形態】
【０００９】
［実施形態の構成］
まず、本発明の一実施形態に係る音像移動システム１の構成について説明する。図１は、同音像移動システム１の全体構成を模式的に示した図である。同図に示したように、音像移動システム１は、複数のスピーカ２Ａ〜２Ｄ、スピーカ２Ａ〜２Ｄに音響信号を供給する音像移動装置１０、表示装置２０、入力装置３０、およびキーボード４０を有しており、スピーカ２Ａ〜２Ｄ、表示装置２０、入力装置３０、およびキーボード４０は、音像移動装置１０に接続されている。この音像移動システム１においては、スピーカ２Ａ〜２Ｄから出力される音の音像は、スピーカ２Ａ〜２Ｄの前方にいる聴取者Ｍにより認識される。
【００１０】
入力装置３０は、板状で矩形の位置検出部３１と、ペン型の操作子３２とを有するタブレットである。入力装置３０は、操作子３２が位置検出部３１の表面に接触させられると、接触した部分の座標を表す座標信号を音像移動装置１０へ出力する。具体的には、入力装置３０の位置検出部３１における座標は、図２に示したようになっており、位置検出部３１は、操作子３２が接触した位置の座標を示す座標信号を出力する。また、操作子３２が位置検出部３１の表面に接触させられたまま移動させられると、操作子３２の移動軌跡に応じて、操作子３２が接触した部分の座標を表す座標信号を音像移動装置１０へ出力する。
【００１１】
表示装置２０は、表示デバイスとして液晶ディスプレイを有しており、音像移動装置１０から供給される信号に応じて各種画面を表示する。なお、本実施形態においては、表示デバイスは液晶ディスプレイとなっているが、表示デバイスは、ＣＲＴ（Cathode Ray Tube）やＥＬ（Electro-Luminescence）ディスプレイ）など、他の表示デバイスであってもよい。
【００１２】
キーボード４０は、音像移動装置１０を操作するための各種キーを有している。キーボード４０は、キーが操作されると、操作されたキーを表す信号を音像移動装置１０へ出力する。
【００１３】
スピーカ２Ａ〜２Ｄは、音像移動装置１０から供給される音響信号に対応した可聴帯域の音を出力する。なお、本実施形態においては、スピーカ２Ａ〜２Ｄの各々の構成はいずれも同じとなっている。スピーカ２Ａ〜２Ｄは、スピーカ２Ａ〜２Ｄから出力された音を聞く聴取者Ｍに向かって配置され、その配置位置は、正方形の各頂点に対応した位置となっている。なお、本実施形態においては、各スピーカ間の距離は、予め定められた距離となっており、その互いの位置関係が予め定められている。
【００１４】
次に、音像移動装置１０の構成について説明する。図３は、音像移動装置１０のハードウェア構成を示したブロック図である。図３に示したように、音像移動装置１０の各部は、バス１０１に接続されており、このバス１０１を介して各部間で各種信号やデータの授受を行う。
【００１５】
入出力インターフェース１０６は、表示装置２０、入力装置３０、およびキーボード４０に接続されている。入出力インターフェース１０６は、入力装置３０およびキーボード４０から出力された信号を受け取り、受け取った信号をＣＰＵ（Central Processing Unit）１０２へ供給する。また、入出力インターフェース１０６は、ＣＰＵ１０２から出力された信号であって、各種画面を表示するための信号を表示装置２０へ供給する。
【００１６】
音源１０７は、音像位置設定部１０８に接続されており、音を表すデータを記憶している。音源１０７は、音響信号の出力をＣＰＵ１０２から指示されると、記憶されているデータが表すモノラル音の音響信号を生成し、生成した音響信号を音像位置設定部１０８へ出力する。
【００１７】
音像位置設定部１０８は、ＤＳＰ（Digital Signal Processor）を備えており、アンプ１０９に接続されている。音像位置設定部１０８は、スピーカ２Ａ〜２Ｄから出力される音の音像の位置を設定するものであり、音源１０７から出力された音響信号を受け取ると、受け取った音響信号を左右２チャネルの信号に変換する。ここで、左チャネルの信号は、スピーカ２Ａ，２Ｃ用に２つ生成され、右チャネルの信号は、スピーカ２Ｂ，２Ｄ用に２つ生成される。そして、ＣＰＵ１０２の制御の下、スピーカ２Ａ〜２Ｄから出力される音の音像の位置を、ＣＰＵ１０２から供給される座標に対応した位置にするために、生成された左右２チャネルの信号に対して時間遅延や振幅調整等の加工処理を施す。
【００１８】
アンプ１０９は、スピーカ２Ａ〜２Ｄに接続されている。アンプ１０９は、音像位置設定部１０８から出力された信号を受け取り、受け取った信号を増幅してスピーカ２Ａ〜２Ｄへ出力する。アンプ１０９から出力される各信号には、音像の位置を決めるための各種処理が施されているため、スピーカ２Ａ〜２Ｄから出力される音には方向感が生じて音像の位置が定められた位置となる。
【００１９】
記憶部１０５は、各種データを永続的に記憶する装置として、ハードディスク装置を備えている。記憶部１０５は、例えば、「ア」という文字や「イ」という文字の画像等、線で構成された画像を表す画像データを記憶している。
【００２０】
ＲＯＭ（Read Only Memory）１０３は、ＣＰＵ１０２により実行される制御プログラムを記憶している。ＣＰＵ１０２は、ＲＯＭ１０３に記憶されている制御プログラムを読み出し、ＲＡＭ（Random Access Memory）１０４を作業エリアにして制御プログラムを実行する。ＣＰＵ１０２により制御プログラムが実行されると、ＣＰＵ１０２により音像移動装置１０の各部が制御される。そして、スピーカ２Ａ〜２Ｄから出力される音の音像を記憶部１０５に記憶されている画像データに応じて移動させる機能や、スピーカ２Ａ〜２Ｄから出力される音の音像の位置を入力装置３０における操作子３２の位置に応じ対応したものとする機能が実現する。
【００２１】
［実施形態の動作］
（記憶されている画像データに応じて音像を移動させるときの動作）
まず、音像移動システム１の操作者が、記憶部１０５の画像データが表す画像の表示を指示する操作をキーボード４０において行うと、ＣＰＵ１０２は、記憶部１０５に記憶されている画像データを読み出す。そして、ＣＰＵ１０２は、画像データが表す画像に基づいて、該画像を表す画像信号を生成し、生成した画像信号を入出力インターフェース１０６を介して表示装置２０へ供給する。表示装置２０は、入出力インターフェース１０６から画像信号が供給されると、供給された画像信号が表す画像を表示する。本実施形態においては、上述したように、「ア」という文字を表す画像データと、「イ」という文字を表す画像データとが記憶されているため、表示装置２０においては、「ア」という文字と「イ」という文字とが表示される。
【００２２】
ここで、表示された「イ」を選択する操作がキーボード４０において行われると、ＣＰＵ１０２は、選択された「イ」の画像を解析し、「イ」を複数の線に分解するとともに、「イ」を表す各線の軌跡の座標を求める。具体的には、「イ」の場合、図４に示したように画像データが表す画像領域および座標系において線分Ｌ１と線分Ｌ２とに分解され、分解された線分毎に線分の軌跡の座標が求められる。例えば、線分Ｌ１の場合、図４に示した座標（ｘ１１，ｙ１１）〜（ｘ１ｎ，ｙ１ｎ）までの軌跡の座標（ｘ１１，ｙ１１）、（ｘ１２，ｙ１２）、・・・、（ｘ１ｎ，ｙ１ｎ）が求められ、線分Ｌ２の場合、図４に示した座標（ｘ２１，ｙ２１）〜（ｘ２ｎ，ｙ２ｎ）までの軌跡の座標（ｘ２１，ｙ１１）、（ｘ２２，ｙ２２）、・・・、（ｘ２ｎ，ｙ２ｎ）が求められる。そして、求められた座標が図５に示したようにＲＡＭ１０４に記憶される。
【００２３】
次に、ＣＰＵ１０２は、音源１０７に対して音響信号の出力を指示する。音源１０７はＣＰＵ１０２からの指示を受けると、音源１０７に記憶されている音のデータが表すモノラル音の音響信号を生成し、生成した音響信号を音像位置設定部１０８へ出力する。音像位置設定部１０８へ出力された音響信号は、音像位置設定部１０８において左右２チャネルの信号に変換される。
【００２４】
次にＣＰＵ１０２は、ＲＡＭ１０４に記憶された座標を順次読み出し、読み出した座標を音像位置設定部１０８へ順次供給する。音像位置設定部１０８は、座標が供給されると、左右２チャネルの音の音像位置が、供給された座標に対応した位置となるように、生成された左右２チャネルの信号に対して各種処理を施す。
【００２５】
具体的には、画像データが表す画像領域における座標と、スピーカ２Ａ〜２Ｄから出力される音の音像の座標は、図６に示したように対応している。音像位置設定部１０８は、例えば、画像データが表す画像領域の左上隅を表す（０，ｙａ）という座標を受け取ると、音像の定位位置が（０，ｙａ）に対応した（０，ＹＡ）となるように、左右２チャネルの信号に各種処理を施す。また、音像位置設定部１０８は、例えば、画像データが表す画像領域の右上隅を表す、（ｘａ，ｙａ）という座標を受け取ると、音像の定位位置が（ｘａ，ｙａ）に対応した（ＸＡ，ＹＡ）となるように、左右２チャネルの信号に各種処理を施す。
【００２６】
ＣＰＵ１０２が、線分Ｌ１の端部を表す座標（ｘ１１，ｙ１１）を音像位置設定部１０８に供給すると、音像の定位位置が（ｘ１１，ｙ１１）に対応した（Ｘ１１，Ｙ１１）に設定され左右２チャネルの信号に各種処理が施される。そして、各種処理が施された音響信号は、スピーカ２Ａ〜２Ｄへ出力される。スピーカ２Ａ〜２Ｄは、各種処理が施された音響信号が供給されると、供給された信号に対応した音を出力する。これにより、スピーカ２Ａ〜２Ｄから出力される音の音像は、図６、図７に示したように、線分Ｌ１の端部を表す座標（ｘ１１，ｙ１１）に対応した座標（Ｘ１１，Ｙ１１）に定位する。
【００２７】
この後、ＲＡＭ１０４に記憶された座標が、（ｘ１２，ｙ１２）、（ｘ１３，ｙ１３）、・・・、（ｘ１ｎ，ｙ１ｎ）というように音像位置設定部１０８へ順次供給されると、供給された座標に対応して、左右２チャネルの信号に各種処理が施される。そして、処理が施された音響信号がスピーカ２Ａ〜２Ｄへ供給されることにより、スピーカ２Ａ〜２Ｄから出力される音の音像の定位位置が、ＲＡＭ１０４から音像位置設定部１０８へ供給された座標に対応して（線分Ｌ１に対応して）、図７に示したように矢印Ａ方向へ移動する。
【００２８】
ＣＰＵ１０２は、線分Ｌ１について、ＲＡＭ１０４に記憶された座標の読み出しを終了すると、次に、線分Ｌ２の端部を表す座標（ｘ２１，ｙ２１）を読み出す。ＣＰＵ１０２が、この読み出した座標（ｘ２１，ｙ２１）を音像位置設定部１０８に供給すると、音像の定位位置が（ｘ２１，ｙ２１）に対応した（Ｘ２１，Ｙ２１）に設定され左右２チャネルの信号に各種処理が施される。そして、各種処理が施された音響信号がスピーカ２Ａ〜２Ｄに供給されると、スピーカ２Ａ〜２Ｄから出力される音の音像は、図６、図７に示したように、線分Ｌ２の端部を表す座標（ｘ２１，ｙ２１）に対応した座標（Ｘ２１，Ｙ２１）に定位する。
【００２９】
この後、ＲＡＭ１０４に記憶された座標が、（ｘ２２，ｙ２２）、（ｘ２３，ｙ２３）、・・・、（ｘ２ｎ，ｙ２ｎ）というように音像位置設定部１０８へ順次供給されると、供給された座標に対応して、左右２チャネルの信号に各種処理が施される。そして、処理が施された音響信号がスピーカ２Ａ〜２Ｄへ供給されることにより、スピーカ２Ａ〜２Ｄから出力される音の音像の定位位置が、ＲＡＭ１０４から音像位置設定部１０８へ供給された座標に対応して（線分Ｌ２に対応して）、図７に示したように矢印Ｂ方向へ移動する。
【００３０】
このようにスピーカ２Ａ〜２Ｄから出力された音の音像は、操作者が選択した「イ」を表す線に応じて移動するため、スピーカ２Ａ〜２Ｄから出力された音を聞く聴取者は、この音像の移動を認識して、操作者が選択した「イ」という文字を認識することができる。
【００３１】
（入力デバイスにされた操作に応じて音像を移動させるときの動作）
まず、操作子３２の位置に応じて音像を移動させる指示の入力が、キーボード４０において行われると、音像移動装置１０のＣＰＵ１０２は、入力装置３０から入出力インターフェース１０６を介して送られる座標信号を受け付ける。
【００３２】
次に、操作者が操作子３２を、位置検出部３１の座標（ｘ３１，ｙ３１）の位置に接触させると、この座標（ｘ３１，ｙ３１）を表す座標信号が入出力インターフェース１０６を介してＣＰＵ１０２へ送られる。ＣＰＵ１０２は、座標信号を受け取ると、音源１０７に対して音響信号の出力を指示する。音源１０７はＣＰＵ１０２からの指示を受けると、音響信号を音像位置設定部１０８へ出力する。音像位置設定部１０８へ出力された音響信号は、音像位置設定部１０８において左右２チャネルの信号に変換される。
【００３３】
次にＣＰＵ１０２は、受け取った座標信号が表す座標を音像位置設定部１０８へ供給する。音像位置設定部１０８は、座標が供給されると、左右２チャネルの音の音像の位置が、供給された座標に対応した位置となるように、生成された左右２チャネルの信号に対して各種処理を施す。ここでは、ＣＰＵ１０２が、座標（ｘ３１，ｙ３１）を音像位置設定部１０８に供給すると、図８に示したように音像の定位位置が（ｘ３１，ｙ３１）に対応した（Ｘ３１，Ｙ３１）に設定され、左右２チャネルの信号に各種処理が施される。そして、各種処理が施された音響信号は、スピーカ２Ａ〜２Ｄへ出力される。スピーカ２Ａ〜２Ｄが、供給された音響信号に対応した音を出力すると、スピーカ２Ａ〜２Ｄから出力される音の音像は、図８に示したように、座標（ｘ３１，ｙ３１）に対応した座標（Ｘ３１，Ｙ３１）に位置する。
【００３４】
次に、操作者が操作子３２を位置検出部３１に接触させたまま、円を描くようにして、操作子３２を移動させると、（ｘ３２，ｙ３２）、（ｘ３３，ｙ３３）、・・・、（ｘ３１，ｙ３１）というように、操作子３２が接触した部分の座標を表す座標信号が入出力インターフェース１０６を介してＣＰＵ１０２へ送られる。ＣＰＵ１０２は、この座標信号を受け取ると、受け取った座標が表す座標を音像位置設定部１０８へ順次供給する。
【００３５】
音像位置設定部１０８は、順次供給される座標を受け取ると、供給された座標に対応して、左右２チャネルの信号に各種処理を施す。そして、音像位置設定部１０８が、処理が施された音響信号をスピーカ２Ａ〜２Ｄへ供給すると、スピーカ２Ａ〜２Ｄから出力される音の音像の位置が、音像位置設定部１０８へ供給された座標に対応して（操作子３２の移動に対応して）、図８に示したように矢印Ｃ方向へ移動する。
【００３６】
操作者が、操作子３２を再び（ｘ３１，ｙ３１）まで移動させた後、操作子３２を位置検出部３１から離すと、入力装置３０から音像移動装置１０への座標信号の供給が停止する。ＣＰＵ１０２は、座標信号の供給が停止すると、音源１０７に対して音響信号の出力停止を指示する。音源１０７はＣＰＵ１０２からの指示を受けると、音響信号の生成を停止する。音響信号の生成が停止されると、音像位置設定部１０８へ音響信号が供給されなくなるので、スピーカ２Ａ〜２Ｄからの音の出力が停止する。
【００３７】
このようにスピーカ２Ａ〜２Ｄから出力された音の音像は、操作者が操作した操作子３２の移動軌跡に応じて移動するため、スピーカ２Ａ〜２Ｄから出力された音を聞く聴取者は、この音像の移動を認識して、操作者が操作子３２で書いた図形を認識することができる。
【００３８】
［変形例］
以上、本発明の実施形態について説明したが、例えば、上述した実施形態を以下のように変形して本発明を実施してもよい。
【００３９】
上述した実施形態においては、スピーカ２Ａ〜２Ｄから出力される音の種類は一種類となっているが、画像に応じて音の属性（音色、音高、音の強さ、音量等）を異ならせるようにしてもよい。例えば、「川」という文字に対応して音像を移動させる場合には、川のせせらぎの音をスピーカ２Ａ〜２Ｄから出力するようにしてもよい。また、上述した実施形態においては、音像の移動中に音源１０７を制御して音の属性（音色、音高、音の強さ、音量等）を変化させるようにしてもよい。
【００４０】
上述した実施形態においては、音を出力するスピーカとして複数のスピーカユニットを備えたスピーカアレイであってもよい。また、上述した実施形態においては、スピーカの数は４つ以上であってもよい。
【００４１】
上述した実施形態においては、画像データが表す画像を解析して線を求め、求めた線の座標を求めているが、線の座標を予め求めておき、求めておいた座標を記憶部１０５に記憶させておくようにしてもよい。そして、音像を移動させる際には、この記憶部１０５に記憶された座標を用いるようにしてもよい。
【００４２】
上述した実施形態においては、画像データが表す画像が図形である場合、図形の輪郭を抽出し、抽出した輪郭を表す線の座標を求め、求めた座標に従って音像を移動させるようにしてもよい。
【００４３】
上述した実施形態においては、音像を直線的に往復して移動させて図９（ａ）に示したように線状の音像を形成するようにしてもよい。また、線状の音像を図９（ｂ）に示したように移動させるようにしてもよい。この態様によれば、幅を持った音像が移動するため、線状の音源の移動面積に応じて様々な図形を認識させることができる。また、線状の音像を移動させる場合には、移動中に線状の音像の幅を図９（ｃ）に示したように変化させるようにしてもよい。この態様によれば線状の音源の移動面積に応じて様々な図形を認識させることができる。
【００４４】
上述した実施形態においては、入力装置３０を設けないようにして、記憶部１０５に記憶されている画像データが表す画像についてのみ、画像に対応して音像を移動させるようにしてもよい。また、記憶部１０５に画像データを記憶させず、入力装置３０における操作子３２の移動に対応して音像を移動させるようにしてもよい。
【００４５】
上述した実施形態においては、入力装置３０はタブレットとなっているが、入力装置３０はタブレットに限定されず、マウス、トラックボール、またはタッチパネルであってもよい。
【００４６】
上述した実施形態においては、文字に対応して音像を移動させる場合には、文字の書き順に従って音像を移動させるようにしてもよい。また、キーボード４０で文字を入力し、入力された文字を解析して文字を表す線の座標を求め、求めた座標に対応して音像を移動させるようにしてもよい。
【００４７】
上述した実施形態においては、スピーカ２Ａ〜２Ｄから出力される音は可聴帯域の音に限定されるものではなく、可聴帯域外の超音波を出力するようにしてもよい。このように超音波を出力して音像を形成する場合、超音波センサにより音像の位置を検出するようにしてもよい。
【００４８】
上述した実施形態においては、音源１０７は左右２チャネルの音響信号を生成し、生成した左右２チャネルの音響信号を音像位置設定部１０８へ供給するようにしてもよい。この態様においては、音像位置設定部１０８は、供給された左右２チャネルの音響信号に対して各種処理を施すようにしてもよい。
また、上述した実施形態においては、生成される音響信号は２チャネルに限定されるものではなく、２チャネル以上の複数チャネルの音響信号を生成して音像を移動するようにしてもよい。
【図面の簡単な説明】
【００４９】
【図１】本発明の一実施形態に係る音像移動システムの全体構成を示した図である。
【図２】同システムに係る入力装置３０の座標を説明するための図である。
【図３】同システムに係る音像移動装置１０のハードウェア構成を示したブロック図である。
【図４】記憶された画像データが表す画像と、画像データが表す画像の画像領域および座標を例示した図である。
【図５】ＲＡＭ１０４に記憶された座標データを示した図である。
【図６】画像データが表す画像の座標と、音像の座標との対応関係を説明するための図である。
【図７】音像の移動軌跡を説明するための図である。
【図８】操作子３２と位置検出部３１との接触位置の座標と、音像の座標との対応関係を説明するための図である。
【図９】本発明の変形例に係る線上音像を説明するための図である。
【符号の説明】
【００５０】
１・・・音像移動システム、２Ａ〜２Ｄ・・・スピーカ、１０・・・音像移動装置、２０・・・表示装置、３０・・・入力装置、３１・・・位置検出部、３２・・・操作子、４０・・・キーボード、１０１・・・バス、１０２・・・ＣＰＵ、１０３・・・ＲＯＭ、１０４・・・ＲＡＭ、１０５・・・記憶部、１０６・・・入出力インターフェース、１０７・・・音源、１０８・・・音像位置設定部、１０９・・・アンプ
【図１】
0005389322.tif 000002
【図２】
0005389322.tif 000003
【図３】
0005389322.tif 000004
【図４】
0005389322.tif 000005
【図５】
0005389322.tif 000006
【図６】
0005389322.tif 000007
【図７】
0005389322.tif 000008
【図８】
0005389322.tif 000009
【図９】
0005389322.tif 000010